(57)【特許請求の範囲】
【請求項１】
上下枠と左右の縦枠とから枠体を構成し、上記縦枠の内側に内障子と外障子の摺動案内溝を設け、上記内障子と外障子をそれぞれ上下方向に摺動可能に配置した上げ下げ窓において、上記縦枠の各摺動案内溝の内側に、上記内障子と外障子の上げ下げ位置を保持するスパイラルバランサと、スパイラルバランサの上端に設けられた内部スプリング調整用調整器と、スパイラルバランサの下端に設けられたピボットシューとを全て収納するとともに、上記調整器を上記摺動案内溝の開口側から調整操作可能に配置し、上記ピボットシューに上記内障子及び外障子の下端両側のピボット軸を軸受けさせたことを特徴とする上げ下げ窓の調整機構。
【請求項２】
前記内障子側の調整器を、前記内障子の上動を規制するストッパの裏側に配置し、上記調整器の操作部をストッパの一部から露出するように設けた、請求項１記載の上げ下げ窓の調整機構。
【発明の詳細な説明】
【０００１】
【発明の属する技術分野】
本発明は外障子と内障子とを摺動可能に設けた上げ下げ窓に関する。
【０００２】
【従来技術】
一般に、上げ下げ窓は枠体の内側に内障子と外障子とを配設したものであり、内外両障子ともに上下動可能に配置されている。
【０００３】
枠体は上下枠と左右の縦枠とから成り、縦枠には内障子と外障子の上下動を案内するための摺動案内溝が形成されている。そして、枠体の上方に押し上げた障子が手を離しても落下しないように、各摺動案内溝にはスパイラルバランサが配置されている。スパイラルバランサは障子を止めた位置に保持するものである。
【０００４】
ところで、スパイラルバランサはパイプの内部に螺旋状にねじられたスパイラルロッドを下方に引き出し自在に設け、スパイラルロッドの周囲にはスプリングを配置し、さらにパイプの下端にはカプリングを配置し、カプリングとスプリングとを連結したものである。上記パイプの上端は縦枠に固定され、スパイラルロッドの下端には障子が連結されている。スパイラルロッドに障子の荷重が加わると、パイプ内のカプリングに回転力が付与されるが、スプリングはカプリングの回転力を制限する。障子の荷重とスプリングのバネ力がバランスさせることにより障子は常に止めた位置に保持される。
【０００５】
スプリングのバネ力を調整するためには、スプリングを右又は左方向に調整回転させればよい。つまり、スプリングを巻き上げる方向か巻き戻す方向に回転することによりバネ力は変化するから、障子の荷重とスプリングのバネ力をバランスさせることができる。スプリングとスパイラルロッドとはカプリングを介して連動するように連結されているから、従来は、スパイラルロッドを予め適当に回転させて障子に取り付けた後、障子を枠体に組み付け摺動の具合を見、バランスがとれていなければ再び障子を取り外して調整し直すという作業によって調整していた。
【０００６】
【発明が解決しようとする課題】
しかしながら、障子を枠体に取り付けたり、取り外したりしてバネ力を調整するという作業は、非常に煩雑であり、能率も悪かった。
【０００７】
本発明は上記問題点を解消し、障子とスパイラルバランサを枠体に組み込んだ後にスプリングのバネ力の調整をすることができる上げ下げ窓の調整機構を提供することをその課題とする。
【０００８】
【課題を解決するための手段】
前記課題を解決するため、本発明に係る上げ下げ窓の調整機構は、上下枠と左右の縦枠とから枠体を構成し、上記縦枠の内側に内障子と外障子の摺動案内溝を設け、上記内障子と外障子をそれぞれ上下方向に摺動可能に配置した上げ下げ窓において、上記縦枠の各摺動案内溝の内側に、上記内障子と外障子の上げ下げ位置を保持するスパイラルバランサと、スパイラルバランサの上端に設けられた内部スプリング調整用調整器と、スパイラルバランサの下端に設けられたピボットシューとを全て収納するとともに、上記調整器を上記摺動案内溝の開口側から調整操作可能に配置し、上記ピボットシューに上記内障子及び外障子の下端両側のピボット軸を軸受けさせたことを特徴とする。
【０００９】
なお、前記内障子側の調整器を、前記内障子の上動を規制するストッパの裏側に配置し、上記調整器の操作部をストッパの一部から露出するように設けるのが好ましい。
【００１０】
【発明の実施の形態】
図１は閉じ状態の上げ下げ窓の斜視図、図２は下の内窓を開けた状態の斜視図を示す。
【００１１】
同図において符号１は枠体を示す。枠体１は上枠１ａ、下枠１ｂ及び左右の縦枠１ｃとから方形に枠組みされたもので、枠体１の内面の室内側には内障子２の摺動案内溝４が、屋外側には外障子３の摺動案内溝５がそれぞれ形成されている。閉じ状態では内障子２は下方に、外障子３は上方にあり、それぞれ上下方向に摺動可能に設けられている。内障子２は連結アーム６によって一定の角度以上は回動できないように構成されている。
【００１２】
上記枠体１は金属部と合成樹脂部とから成る複合サッシ枠である。すなわち、図３及び図４に示されるように、上枠本体７、下枠本体８及び縦枠本体９はアルミニウム等の金属から成る金属部ａとして構成されている。また、上記枠体１の外障子３の摺動案内溝５は上記金属部ａによって構成されている。これに対し、上記各枠部材１ａ、１ｂ、１ｃの室内側に面する部位と内障子２の摺動案内溝４とは合成樹脂から成る合成樹脂部ｂとして構成されている。
【００１３】
内障子２と外障子３の各上端の両側にはそれぞれの縦枠１ｃの摺動案内溝４、５に係合可能なガイド部材１０が取り付けられている。図２に示されるように、ガイド部材１０は摺動案内溝４、５に係脱可能な係合片１１を備え、係合片１１を外部から操作して摺動案内溝４、５に係脱できるようになっている。これにより、内障子２と外障子３の上部は上記ガイド部材１０によって摺動案内されている。
【００１４】
また、内障子２と外障子３の各下端は図５に示すように、摺動案内溝４、５に配置された公知のスパイラルバランサ１３とその関連部材によって摺動案内され、回動自在に支持されている。同時に、スパイラルバランサ１３は上記各障子２、３の荷重と略同じ大きさの力を反対側に作用させることによって各障子２、３を支え、上記各障子の上げ下げ位置を保持するものである。
【００１５】
すなわち、スパイラルバランサ１３は図６に示されるように、パイプ１４の内部中央にスパイラルロッド１５を設け、スパイラルロッド１５の周囲にスプリング１６を配置し、スプリング１６の下端をカプリング１７に固定し、上記スパイラルロッド１５をカプリング１７の中央に形成した長穴を貫通させてスパイラルロッド１５を下方に引き出し自在としたものである。カプリング１７の長穴１８はスパイラルロッド１５の断面よりもやや大きく形成されているので、スパイラルロッド１５はこの長穴を通って回転しながら上下に移動する。逆に言えば、スパイラルロッド１５が回転せずに上下動するとカプリング１７は回転する。カプリング１７はスプリング１６に連結しているから、スプリング１６のバネ力の影響を受ける。したがって、スパイラルロッド１５の上下動は抑制された動きとなる。
【００１６】
上記パイプ１４の上端には調整器１９、下端にはピボットシュー２０が取り付けられている。
【００１７】
調整器１９は図７に示されるように、ハウジング２１の内部に縦軸２２に形成されたギア２３と横軸２４に形成されたギア２５とを噛み合わせ、横軸２４には断面四角形状の穴２６を形成し、その内部に断面四角形の操作軸（操作部）２７を穴２６に沿って摺動自在に嵌合し、操作軸２７を常時突出方向にバネ２８で付勢したもので、操作軸２７の外側の端面には調整用の十字溝２９が形成され、ハウジング２１には上記操作軸２７を嵌合させる四角形の穴３０を貫通形成している。このため、ドライバで上記操作軸２７を押し込めば操作軸２７とともに横軸２４を回転させることができる。押し込み力を解除すると、操作軸２７はバネ２８により突出してハウジング２１の四角穴３０に係合し、回転できないように規制される。また、縦軸２２の下部はスパイラルバランサ１３のパイプ１４に嵌合され、パイプ１４に挿通されたネジ３１を縦軸２２に形成されたネジ穴３２に螺合させることにより、縦軸２２とスプリング１６とパイプ１４とが一体に固定されている。カプリング１７は回転しないように設定されているので、上記操作軸２７を回転することにより、パイプ１４とともにスプリング１６も巻き上げ方向又は巻き戻し方向に回転させてバネ力を調整することができる。
【００１８】
ピボットシュー２０は、図５及び図６に示されるように、上部には一側と上部に開口する係合溝３３を備え、下端部の一側に軸受穴１８を形成したブロック状の部材である。スパイラルロッド１５の下部は上記係合溝３３内に挿入され、スパイラルロッド１５に取り付けた係合片３４をピボットシュー２０の上壁の内面に係合させることにより、連結されている。
【００１９】
上記構成のスパイラルバランサ１３と調整器１９とピボットシュー２０は縦枠１ｃの摺動案内溝４、５の内部に収納されている。ピボットシュー２０は摺動案内溝４、５に摺動自在に収納されている。縦枠１ｃの上端には取付金具３５（図６参照）をあらかじめ固定しておき、スパイラルバランサ１３を摺動案内溝４、５の内部に嵌挿して調整器１９を上記取付金具３５にネジ止めすればよい。このとき、操作軸２７の十字溝２９は摺動案内溝４、５の開口部から内方に露出している。また、ピボットシュー２０の軸受穴１８は枠体１の内側を向くように配置されている。
【００２０】
なお、スパイラルバランサ１３はあらかじめ取付金具３５に固定しておき、この状態でスパイラルバランサ１３を摺動案内溝４、５の内部に嵌挿し、取付金具３５を図９のように縦枠１ｃに固定するようにしてもよい。
【００２１】
次に、上記各障子２、３を縦枠１ｃに取り付けるにあたっては、まずスパイラルバランサ１３を上述のように取り付けた後、図８に示されるように、障子を左又は右に傾けてその下端一側のピボット軸３６を同じ側のスパイラルバランサ１３のピボットシュー２０の軸受穴１８に嵌合し、さらに障子を他方に傾けるようにして反対側のピボット軸を反対側のピボットシューの軸受穴に嵌合する。そして、上記障子の上端のガイド部材１０の係合片１１を摺動案内溝４、５に係合させればよい。このようにして、各障子２、３は上部のガイド部材１０と下部のピボットシュー２０に案内されて摺動案内溝４、５に沿って上下動することができる。
【００２２】
内障子２はガイド部材１０の係合片１１を引っ込めることにより、上記ピボット軸を中心に屋内側に回動することはできる。これに対し、外障子３が邪魔になって屋外側には回動させることはできない。
【００２３】
ところで、内障子２の上端には図１及び図２に示されるようにクレセント錠３７が取り付けられ、外障子３の下端には錠受け３８が取り付けられている。このため、内障子２を最上部まで上昇させると、クレセント錠３７が上枠１ａに当たるおそれがあり、外障子３を最下部まで下降させると、錠受け３８が下枠１ｂに当たるおそれがある。そこで、外障子３の摺動案内溝５の下部と内障子２の摺動案内溝４の上部には、それぞれ外障子３の下動と内障子２の上動を規制するストッパ３９が取り付けられている。そして、内障子２側の調整器１９の操作軸２７は内障子２用のストッパ３９の上部に露出するように設けられている。
【００２４】
ストッパ３９は図９及び図１０に示されるように、細長い基板４０の下部から表側にストッパブロック４１を突出し、基板４０の中央部に円孔４２を形成し、基板４０の上部裏側には係止片４３、下部裏側には平行な１対の切欠き４４付の係合片４５を突出形成したものである。
【００２５】
これに対し、縦枠１ｃの上部で、調整器１９に対応する位置には摺動案内溝４、５の両側を切欠いて拡開させ、ストッパ３９の裏側の係合片４５が嵌合できる程度の幅に形成されたストッパ３９の取付用開口部４６が形成されている。ストッパ３９はこの取付用開口部４６に係合片４５を嵌合させ、上部の係止片４３を取付用開口部４６の上部の開口縁に係合させ、係合片４５の下端の切欠き４４を取付用開口部４６の両側の切欠き縁４７に係止させることによって固定されている。このとき、図３のように、内障子２用のストッパ３９に形成された基板４０の円孔４２には上記スパイラルバランサ用調整器１９の操作軸２７の十字溝２９が臨むように配置される。
【００２６】
なお、内障子２用のストッパ３９のストッパブロック４１は有底筒状に形成され、下方は開放されている。
【００２７】
上述の構成によれば、内外の障子２、３は摺動案内溝４、５に沿って上下方向に摺動自在となり、内障子２はピボット軸３６を中心に回動可能となる。また、上記両障子は摺動時にスパイラルバランサ１３によって止めた位置に保持される。ところが、スパイラルバランサ１３のスプリング１６のバネ力が強すぎると、障子を下げても上に上がってしまい、逆にバネ力が弱すぎると、障子を上げても下がってしまい、所望の位置には保持されないので、バネ力を調整する必要がある。
【００２８】
スプリング１６のバネ力を調整するときは、図１０のように調整器１９の操作軸２７の十字溝２９にドライバ４８の先端を係合させて操作軸２７をいったん押し込んでから右又は左に回転させる。ピボットシュー２０は回転しないから、スパイラルロッド１５もカプリング１７も回転しない静止状態になっている。この状態で操作軸２７を回転させると、図７に示すように、横軸２４のギア２５と縦軸２２のギア２３が回転してパイプ１４とともにスプリング１６も巻き上げ方向又は巻き戻し方向に回転する。これにより、スプリング１６のバネ力を調整することができる。
【００２９】
回転調整した後に押し込み力を解除すると、操作軸２７はバネ２８により突出してハウジング２１の四角穴３０に係合し、回転できないように規制されるから、スプリング１６のバネ力は調整した状態に保持される。
【００３０】
上述のように、スパイラルバランサ１３のバネ力は、内障子２と外障子３を枠体１内に組み込んだ後に、調整器１９の操作軸２７を回転操作することにより容易に調整することができる。したがって、従来の調整に比べて作業能率が格段に向上する。
【００３１】
また、内障子２の調整器１９はストッパ３９の裏側に隠れ、室内側に露出することがないから、内観が損なわれない。また、操作軸２７はストッパ３９の円孔から露出するので、調整操作は容易に行なうことができる。
【００３２】
なお、外障子３は下方に移動させたとき縦枠１ｃに設けたストッパ３９にぶつかってそれ以上の移動を阻止される。また、内障子２は上方に移動させたとき、上框の両端は縦枠１ｃに設けたストッパ３９にぶつかってそれ以上の移動を阻止される。このとき、内障子２のガイド部材１０の摘子１２はストッパブロック４１の下端の開放部から内部に入り込むので、ストッパブロック４１にぶつかることはない。また、内障子２はストッパ３９で上動を規制されることにより、上動時にクレセント錠３７が上枠１ａに当たるのが防止される。
【００３３】
【発明の効果】
請求項１に係る発明によれば、スパイラルバランサの上端には内部のスプリングのバネ力を調整する調整器を内外の障子の摺動案内溝の上端に配置したので、内障子と外障子を枠体内に組み込んだ後に、調整器の操作部を操作することにより容易に調整作業を行なうことができる。したがって、従来の調整に比べて作業能率が格段に向上する。また、調整器を上記摺動案内溝の開口側から調整操作可能に配置したので、横から調整操作ができる。
【００３４】
請求項２に係る発明によれば、内障子の調整器はストッパの裏側に隠れ、室内側に露出することがないから、内観が損なわれない。また、操作部はストッパの一部に露出するので、スパイラルバランサの調整操作は容易に行なうことができる。
【図面の簡単な説明】
【図１】本発明に係る上げ下げ窓の斜視図
【図２】上記上げ下げ窓の内障子を倒した状態の斜視図
【図３】上記上げ下げ窓の縦断面図
【図４】図３のＸーＸ線上の断面図
【図５】縦框の上部の側面図
【図６】スパイラルバランサとその調整器、取付金具及びピボットシューの正面図
【図７】調整器の縦断面図
【図８】障子の取付態様説明図
【図９】ストッパの取付状態を示す斜視図
【図１０】スパイラルバランサの調整器の調整態様説明図
【符号の説明】
１  枠体
２  内障子
３  外障子
４、５  摺動案内溝
１３  スパイラルバランサ
１９  調整器
２０  ピボットシュー
３６  ピボット軸
【図１】
0003630405.tif 000002
【図２】
0003630405.tif 000003
【図３】
0003630405.tif 000004
【図４】
0003630405.tif 000005
【図５】
0003630405.tif 000006
【図６】
0003630405.tif 000007
【図７】
0003630405.tif 000008
【図８】
0003630405.tif 000009
【図９】
0003630405.tif 000010
【図１０】
0003630405.tif 000011